(57)【要約】【課題】現場において柱コンクリートと床スラブコンクリートの打ち分けを確実に行うことができるとともに、ふさぎ板を容易に製作することができる鉄骨梁とコンクリート柱の仕口構造を提供する。【解決手段】鉄骨梁２と鉄筋コンクリート柱（コンクリート柱）３との仕口部４には、鉄骨梁２の梁成と同じ高さ寸法に形成され、鉄筋コンクリート柱３を囲繞するふさぎ板５が設けられて、鉄骨梁２の上端部２ａおよびふさぎ板５の上端部５ａには、鉄筋コンクリート柱３の外周面に沿って鉛直上方に延びる鉛直部8と、鉛直部８の下端部８ｂと連続し鉄筋コンクリート柱３の外方に水平に延びる水平部9と、を備える断面形状がＬ字型の鋼材７が接合され、鋼材7の上端部７ａは、鉄骨梁２の上方に設置される床スラブ１１の天端１１ａまで達している。【選択図】図２
2013002140.tif 000002
【特許請求の範囲】
【請求項１】
梁を鉄骨造とし、柱をコンクリート造とする複合構造の鉄骨梁とコンクリート柱の仕口構造において、
前記鉄骨梁と前記コンクリート柱との仕口部には、前記鉄骨梁の梁成と同じ高さ寸法に形成され、前記コンクリート柱を囲繞するふさぎ板が設けられて、
前記鉄骨梁の上端部および前記ふさぎ板の上端部には、前記コンクリート柱の外周面に沿って鉛直上方に延びる鉛直部と、該鉛直部の下端部と連続し前記コンクリート柱の外方に水平に延びる水平部と、を備える断面形状がＬ字型の鋼材が接合され、
該鋼材の上端部は、前記鉄骨梁の上方に設置される床スラブの天端まで達していることを特徴とする鉄骨梁とコンクリート柱の仕口構造。
【発明の詳細な説明】
【技術分野】
【０００１】
本発明は、梁を鉄骨造とし、柱をコンクリート造としてラーメンを構成する鉄骨梁・コンクリート柱複合構造の鉄骨梁とコンクリート柱の仕口構造に関する。
【背景技術】
【０００２】
近年、梁を鉄骨造とし柱をコンクリート造としてラーメンを構成する鉄骨梁・コンクリート柱複合構造（ＲＣＳＳ構法やＮｅｗ  ＲＣＳＳ構法）では、建物の高層化や大スパン化に伴い、柱コンクリートと床スラブコンクリートとを打ち分けることが多くなっている。
この柱コンクリートと床スラブコンクリートとの打ち分けは、コスト削減や床スラブの品質確保の面から必要不可欠とされている。
【０００３】
柱コンクリートと床スラブコンクリートとを打ち分けするときには、柱コンクリートが床スラブコンクリートよりも高強度であるため、床スラブコンクリートに先行して打設されている。
また、床スラブコンクリートは、デッキプレートを架設してから打設されている。そして、このデッキプレートは、仕口部のコンクリート柱を囲繞するふさぎ板に溶接されたデッキプレート受けに支持されている。
【０００４】
ところで、柱コンクリートと床スラブコンクリートとを打ち分けすると、打ち継ぎ部分の処理に手間がかかる。また、柱コンクリートを打設した後に、床スラブ側にのろ（セメントペースト）などの不良コンクリートが流出することがあり、その撤去にも手間がかかるとともに、柱コンクリートの品質を低下させる原因となっている。
このため、特許文献１では、ふさぎ板の上端部が床スラブの天端まで達し、このふさぎ板が柱コンクリートと床スラブコンクリートの境界部分の型枠を兼ねる仕口構造が開示されている。
【先行技術文献】
【特許文献】
【０００５】
【特許文献１】特開２００９−２７５４３２号公報
【発明の概要】
【発明が解決しようとする課題】
【０００６】
しかしながら、特許文献１の仕口構造では、ふさぎ板を、その上端部がスラブの天端まで達するように加工する必要があるため、ふさぎ板の製作に手間がかかる。
【０００７】
本発明は、上述する事情に鑑みてなされたもので、現場において柱コンクリートと床スラブコンクリートの打ち分けを確実に行うことができるとともに、ふさぎ板を容易に製作することができる鉄骨梁とコンクリート柱の仕口構造を提供することを目的とする。
【課題を解決するための手段】
【０００８】
上記目的を達成するため、本発明に係る鉄骨梁とコンクリート柱の仕口構造は、梁を鉄骨造とし、柱をコンクリート造とする複合構造の鉄骨梁とコンクリート柱の仕口構造において、前記鉄骨梁と前記コンクリート柱との仕口部には、前記鉄骨梁の梁成と同じ高さ寸法に形成され、前記コンクリート柱を囲繞するふさぎ板が設けられて、前記鉄骨梁の上端部および前記ふさぎ板の上端部には、前記コンクリート柱の外周面に沿って鉛直上方に延びる鉛直部と、該鉛直部の下端部と連続し前記コンクリート柱の外方に水平に延びる水平部と、を備える断面形状がＬ字型の鋼材が接合され、該鋼材の上端部は、前記鉄骨梁の上方に設置される床スラブの天端まで達していることを特徴とする。
【０００９】
本発明では、鋼材の鉛直部が柱コンクリートと床スラブコンクリートとの境界部分の型枠となるため、柱コンクリートを打設した後に、床スラブ側に柱コンクリートののろなどの不良コンクリートが流出することを防止することができて、柱コンクリートと床スラブコンクリートの打ち分けを確実に行うことができる。
また、鋼材の水平部が床スラブのデッキプレート受けとなるため、鋼材を取り付けることで柱コンクリートと床スラブコンクリートとの境界部分の型枠と床スラブのデッキプレート受けとを同時に設置することができる。
さらに、ふさぎ板は、鉄骨梁の梁成と同じ高さ寸法に形成されるため、ふさぎ板の製作や取り付けを容易に行うことができる。
【発明の効果】
【００１０】
本発明によれば、柱コンクリートと床スラブコンクリートの打ち分けを確実に行うことができるため、柱コンクリートを打設する際に、柱コンクリートがスラブ側に流出しないように処理する工程を省くことができて工期を短縮することができるとともに、柱コンクリートの品質を安定させることができる。
また、鋼材の水平部が床スラブのデッキプレート受けとなるため、鋼材を取り付けることで柱コンクリートと床スラブコンクリートとの境界部分の型枠と床スラブのデッキプレート受けとを同時に設置することができ、工程を簡略化させることができる。
さらに、ふさぎ板は、鉄骨梁の梁成と同じ高さ寸法に形成されるため、ふさぎ板の製作や取り付けを容易に行うことができる。
【図面の簡単な説明】
【００１１】
【図１】本発明の実施形態による鉄骨梁とコンクリート柱の仕口部の一例を示す上面図である。
【図２】（ａ）は図１のＡ−Ａ線断面図、（ｂ）は（ａ）の部分拡大図で鋼材を説明する図である。
【発明を実施するための形態】
【００１２】
以下、本発明の実施形態による鉄骨梁とコンクリート柱の仕口構造について、図１および図２に基づいて説明する。
図１および図２に示すように、本実施形態による鉄骨梁とコンクリート柱の仕口構造１は、鉄骨梁２と鉄筋コンクリート柱（コンクリート柱）３でラーメンを構成する複合構造の仕口部４の構造である。
この仕口部４は、鉄骨梁２が交差状態で一体化し、この交差部分を含むように鉄筋コンクリート柱３が立設している。
【００１３】
図２に示すように、仕口部４には、鉄骨梁２の梁成と同じ高さ寸法に形成されて鉄筋コンクリート柱３を囲繞するふさぎ板５が設けられている。なお、ふさぎ板５の上端部５ａは、鉄骨梁２の上端部２ａの高さに位置し、ふさぎ板５の下端部５ｂは、鉄骨梁２の下端部２ｂの高さに位置している。
ふさぎ板５は、仕口部４のせん断補強部材となるもので、例えば、厚さが６ｍｍ程度の鋼板で形成されている。
そして、ふさぎ板５の内側には、鉄筋コンクリート柱３の複数の柱主筋（不図示）と、これらの柱主筋に巻きつけられたフープ筋（不図示）が配され、柱コンクリート６が充填されている。
【００１４】
鉄骨梁２とふさぎ板５の上部には、断面形状がＬ字型に形成され、鉄筋コンクリート柱３を囲繞する鋼材７が設けられている。
鋼材７は、鉄骨梁２の上端部２ａから鉄骨梁２の上に施工される床スラブ１１の天端１１ａまで鉄筋コンクリート柱３の外周面に沿って延びる鉛直部８と、該鉛直部８の下端部８ｂ（図２（ｂ）参照）と連続し鉄筋コンクリート柱３の外方に水平に延びる水平部９とを備えている。
本実施形態では、鉛直部８の鉛直方向の長さが約１５０ｍｍ、水平部９の水平方向の長さが約５０ｍｍで、厚さが約６ｍｍの鋼板を直角に折り曲げることで形成されている。
なお、本実施形態では、鉛直部８の鉛直方向の長さは、鉄骨梁２の上部に配設される床スラブ１１の高さと略同じとなっている。そして、鋼材７は、その上端部７ａ（鉛直部８の上端部８ａ）が、床スラブ１１の天端１１ａと同じ高さとなるように配されている。
【００１５】
鋼材７は、水平部９の下面が鉄骨梁２の上端部２ａに溶接されている。また、鋼材７とふさぎ板５の上端部５ａとの隙間を塞ぐために、例えば、ガムテープなどの粘着テープによる隙間塞ぎが行われている。
このような鋼材７は、鉛直部８が柱コンクリート６と床スラブコンクリート１２との境界部分の型枠となり、水平部９が、床スラブ１１のデッキプレート１３の端部１３ａを支持するデッキプレート受けとなっている。
【００１６】
次に、柱コンクリート６と床スラブコンクリート１２の打ち分け方法について説明する。
通常、柱コンクリート６の方が床スラブコンクリート１２よりも強度が高いため、床スラブコンクリート１２の打設に先行して柱コンクリート６の打設を行う。
まず、鉄筋コンクリート柱３の型枠（不図示）およびふさぎ板５の内部に、配筋を行う。また、鋼材７を鉄骨梁２およびふさぎ板５の上部に設置する。
【００１７】
続いて、鉄筋コンクリート柱３の型枠、ふさぎ板５の内部に柱コンクリート６を打設し、鋼材７の上端部７ａまでコンクリートを打設する。これにより、床スラブ１１の天端１１ａの高さまで柱コンクリート６が打設される。
【００１８】
続いて、床スラブコンクリート１２の打設を行う。
まず、デッキプレート１３を設置する。デッキプレート１３を設置するときには、デッキプレート１３の端部１３ａを鋼材７の水平部９の上部にのせる。これによりデッキプレート１３が鋼材７を介して鉄筋コンクリート柱３に支持されることになる。
なお、デッキプレート１３の設置は、柱コンクリート６の打設に先行して行ってもよい。
そして、床スラブ１１の配筋を行い、床スラブコンクリート１２を打設する。
このようにして、柱コンクリート６と床スラブコンクリート１２とが打ち分けられる。
【００１９】
次に、上述した鉄骨梁とコンクリート柱の仕口構造の作用効果について説明する。
本実施形態による鉄骨梁とコンクリート柱の仕口構造１によれば、鋼材７の鉛直部８が柱コンクリート６と床スラブコンクリート１２との境界部分の型枠となるため、柱コンクリート６を打設した後に、床スラブ１１側に柱コンクリート６ののろなどの不良コンクリートが流出することを防止することができて、柱コンクリート６と床スラブコンクリート１２の打ち分けを確実に行うことができる。
これにより、柱コンクリート６を打設する際に、柱コンクリート６が床スラブ１１側に流出しないように処理する工程を省くことができて工期を短縮することができるとともに、柱コンクリート６の品質を安定させることができる。
また、鋼材７の水平部９が床スラブ１１のデッキプレート受けとなるため、鋼材７を取り付けることで柱コンクリート６と床スラブコンクリート１２との境界部分の型枠と床スラブ１１のデッキプレート受けとを同時に設置することができる。
さらに、ふさぎ板５は、鉄骨梁２の梁成と同じ高さ寸法に形成されるため、ふさぎ板５の製作や取り付けを容易に行うことができる。
【００２０】
以上、本発明による鉄骨梁とコンクリート柱の仕口構造の実施形態について説明したが、本発明は上記の実施形態に限定されるものではなく、その趣旨を逸脱しない範囲で適宜変更可能である。
例えば、上述した実施形態では、仕口部４において鉄骨梁２が交差状態で一体化しているが、鉄骨梁２がＴ字状に一体化されていてもよい。
また、上述した実施形態では、柱コンクリート６と床スラブコンクリート１２とが異なる強度であるが、柱コンクリート６と床スラブコンクリート１２とが同じ強度の場合に本発明を適用してもよい。
また、上述した実施形態では、鋼材７は、上端部７ａが床スラブ１１の天端１１ａと同じ高さとなるように形成されているが、上端部７ａが床スラブ１１の天端１１ａより上方となるように形成されていてもよい。
【符号の説明】
【００２１】
１  鉄骨梁とコンクリート柱の仕口構造
２  鉄骨梁
２ａ  上端部
３  鉄筋コンクリート柱（コンクリート柱）
４  仕口部
５  ふさぎ板
５ａ  上端部
６  柱コンクリート
７  鋼材
７ａ  上端部
８  鉛直部
８ｂ  下端部
９  水平部
１１  床スラブ
１１ａ  天端
１２  床スラブコンクリート
【図１】
2013002140.tif 000003
【図２】
2013002140.tif 000004